(57)【要約】【課題】  ＬＣＤが表示部を介して露出しているスライド型携帯電話機は、意図しない外力が加わる機会が多いため、ＬＣＤに高い剛性を持たせておく必要がある。一方、ＬＣＤの剛性をあげるためにホルダを利用すると、筐体の薄型化が妨げられるという問題がある。【解決手段】  上筐体１は、ＬＣＤ９を位置決めするとともに固定するフロントケース７と、スライドレール１１のガイド溝に沿って摺動するアクチュエータの一部が露出するように、上筐体１の長手方向に沿って溝が形成され、この溝に沿ってスライドレール１１の厚みとほぼ同じ深さを持つくぼみであるスライドレール固定部２０が形成されたリアケース１２とを有し、フロントケース７とリアケース１２が組み付けられた状態で、スライドレール固定部２０に固定されたスライドレール１１とフロントケース７に固定されたＬＣＤ９の背面が近接して配置することとした。【選択図】  図２
2006339698.tif 000002
【特許請求の範囲】
【請求項１】
少なくとも表示部を備えた第１の筐体と、この第１の筐体の背面と対向した状態で、前記第１の筐体に対して相対的に移動可能に連結された第２の筐体と、前記第２の筐体に接続されたアクチュエータを摺動させるガイド溝が形成されたスライドレールを含むスライド機構を設けたスライド型携帯電話機において、
前記第１の筐体は、前記表示部を位置決めするとともに固定するフロントケースと、前記スライドレールのガイド溝に沿って摺動するアクチュエータの一部が露出するように、前記第１の筐体の長手方向に沿って溝が形成され、この溝に沿って前記スライドレールの厚みとほぼ同じ深さを持つくぼみであるスライドレール固定部が形成されたリアケースとを有し、前記フロントケースと前記リアケースが組み付けられた状態で、前記スライドレール固定部に固定されたスライドレールと前記フロントケースに固定された前記表示部の背面が近接して配置されることを特徴とするスライド型携帯通信機。
【請求項２】
フロントケースとリアケースが組み付けられた状態で、表示部の背面とスライドレールがクッションを介して接触することを特徴とする請求項１に記載のスライド型携帯通信機。
【請求項３】
スライドレール固定部は、スライドレールを係合する係合手段を有するスライドレール固定リブを含むことを特徴とする請求項１に記載のスライド型携帯通信機。
【請求項４】
係合手段は、スライドレール固定リブに形成されて、スライドレールに形成された孔と係合する固定つめであることを特徴とする請求項３に記載のスライド型携帯通信機。
【請求項５】
フロントケースは、金属で成型されてなることを特徴とする請求項１に記載のスライド型携帯通信機。
【発明の詳細な説明】
【技術分野】
【０００１】
本発明は、表示部及び受話部を備えた上筐体と、操作部を備えた下筐体とをスライド可能に結合してなる、携帯電話機などのスライド型携帯通信機に関するものである。
【背景技術】
【０００２】
スライド型携帯電話機は、表示部と受話部を備えた上筐体に対して、操作部と送話部を備えた下筐体がほぼ平行に相対移動して、下筐体の操作部が上筐体に覆われている「閉状態」から上筐体の表示部と受話部、下筐体の操作部がともに露出した「開状態」に移行する。スライド型携帯電話機は、かかる動作を実現するために、上筐体と下筐体をスライド可能に結合するスライドモジュールを有する。
【０００３】
このスライドモジュールは、例えば、「スライドカバー」と「ロックプレート」からなるスライドケース内に摺動可能に「スライダ」（アクチュエータともいう）が設けられてなる。スライダには、スライドケース内を摺動可能に設けられた状態で、スライドケースから突出して筐体と固定される「ピン」が設けられる。このように構成されたスライドモジュールは、例えば上筐体に設けられ、スライダのピンを介して下筐体と接続される。スライドモジュールの構成、およびスライドモジュールを携帯電話機に取り付ける方法については下記の特許文献１に開示されている。
【０００４】
【特許文献１】特開２００３―１２５０５２号公報
【０００５】
また、近年、携帯電話機はさらなる小型化及び薄型化が要請されており、かかる要請に応えるため、様々な提案がなされている。たとえば、特許文献２には、上筐体に設けられたメインＬＣＤ及びサブＬＣＤを保持するＬＣＤフレームにおいてサブＬＣＤを位置決めするガイドリブと、背面スクリーンの平面上の位置をずらすことにより、厚みを減少させるとともに、本体の厚み方向に加わる荷重が直接加わらないようにした二つ折れ型携帯電話機が開示されている。
【０００６】
【特許文献２】特開２００３―２４１１７０号公報
【発明の開示】
【発明が解決しようとする課題】
【０００７】
ところで、折り畳まれることによりメインＬＣＤが保護される二つ折れ型携帯電話機と異なり、スライド型携帯電話機はメインＬＣＤが常に表示部を介して外部に露出した状態となる。つまり、スライド型携帯電話機は二つ折れ型携帯電話機に比較して、意図しない外力がメインＬＣＤに加わる機会が多くなる。したがって、スライド型携帯電話機は、メインＬＣＤに高い剛性を持たせておく必要がある。一般的な携帯電話機において、メインＬＣＤは、例えばマグネシウム製のホルダ（フレーム部材）により保持されており、このホルダが前方からの外力がメインＬＣＤに作用することを防止していた。しかしながら、かかるホルダを用いてメインＬＣＤを保持することにより、筐体の薄型化が妨げられるという問題がある。また、スライド型携帯電話機は、スライドモジュールにより厚みが増してしまう傾向がある。本発明は、上記のような課題を解決することを目的とするものであり、メインＬＣＤの剛性を確保しつつ筐体を薄型化したスライド型携帯電話機を提供することを目的とする。
【課題を解決するための手段】
【０００８】
本発明に係るスライド型携帯通信機は、少なくとも表示部を備えた第１の筐体と、この第１の筐体の背面と対向した状態で、前記第１の筐体に対して相対的に移動可能に連結された第２の筐体と、前記第２の筐体に接続されたアクチュエータを摺動させるガイド溝が形成されたスライドレールを含むスライド機構を設けたスライド型携帯電話機において、第１の筐体は、表示部を位置決めするとともに固定するフロントケースと、スライドレールのガイド溝に沿って摺動するアクチュエータの一部が露出するように、第１の筐体の長手方向に沿って溝が形成され、この溝に沿ってスライドレールの厚みとほぼ同じ深さを持つくぼみであるスライドレール固定部が形成されたリアケースとを有し、フロントケースとリアケースが組み付けられた状態で、スライドレール固定部に固定されたスライドレールとフロントケースに固定された表示部の背面が近接して配置されるものである。
【発明の効果】
【０００９】
本発明に係るスライド型携帯通信機は、少なくとも表示部を備えた第１の筐体と、この第１の筐体の背面と対向した状態で、前記第１の筐体に対して相対的に移動可能に連結された第２の筐体と、前記第２の筐体に接続されたアクチュエータを摺動させるガイド溝が形成されたスライドレールを含むスライド機構を設けたスライド型携帯電話機において、第１の筐体は、表示部を位置決めするとともに固定するフロントケースと、スライドレールのガイド溝に沿って摺動するアクチュエータの一部が露出するように、第１の筐体の長手方向に沿って溝が形成され、この溝に沿ってスライドレールの厚みとほぼ同じ深さを持つくぼみであるスライドレール固定部が形成されたリアケースとを有し、フロントケースとリアケースが組み付けられた状態で、スライドレール固定部に固定されたスライドレールとフロントケースに固定された表示部の背面が近接して配置されるので、剛性の高いスライドレールがＬＣＤモジュールの長手方向に沿って接触することにより、ＬＣＤモジュールの剛性が補強されるという効果を奏する。
【発明を実施するための最良の形態】
【００１０】
実施の形態１．
以下、この発明の実施の形態１について説明する。図１はスライド型携帯電話機の外観を示す外観斜視図である。図１は、上筐体１（第１の筐体）と下筐体２（第２の筐体）が開けられた状態のスライド型携帯電話機を示す。図１において、上筐体１には、例えば液晶表示装置（ＬＣＤ）などの表示部３、受話部４、操作部１７、カメラ１８が設けられており、下筐体２には、操作部５、送話部６が設けられている。上筐体１と下筐体２が閉じられた状態では、上筐体１の表示部３と受話部４が露出しており、下筐体２の操作部５と送話部６が上筐体１に覆われる。一方、上筐体１と下筐体２が開けられた状態では、上筐体１の表示部３と受話部４、下筐体２の操作部５と送話部６がともに露出した状態になる。上筐体１の背面側に、上筐体１の長手方向に沿って延びる溝が２本形成されている。それぞれの溝は上筐体１の外側と内側を貫通するように形成されており、この溝に沿って、上筐体１の内側にスライドモジュール（スライド機構）が設けられ、スライドモジュールを構成するアクチュエータが溝から下筐体２方向に突出する。スライドモジュール自体は、従来から用いられているものを本発明に適用可能であるため、その構成の詳細な説明は省略する。
【００１１】
図２は、本発明に係るスライド型携帯電話機を構成する上筐体の分解斜視図である。図２において、上筐体１は、フロントケース７、クッション８、ＬＣＤモジュール９、クッション１０、スライドレール１１、リアケース１２、フロントケース7に組みつけられる意匠パネル２４から構成される。図３は、フロントケースにＬＣＤモジュールを組み付ける説明図であり、図２に示す分解斜視図のうち、フロントケース７とＬＣＤモジュール９を拡大して示す図である。フロントケース７は、剛性を上げるためにマグネシウムにより成型されている。このフロントケース７にはＬＣＤモジュールの表示画面がフロントケース７外部から認識できるように、開口１９が設けられている。そして、フロントケース７の内面側の開口１９周縁部分を囲むように、ＬＣＤ固定リブ１３が形成されている。このＬＣＤ固定リブ１３はＬＣＤモジュール９の位置決めするとともに固定するものである。ＬＣＤモジュール９は、ＬＣＤ固定リブ１３に設けられた固定つめなどにより、ＬＣＤ固定リブ１３に固定保持される。
【００１２】
スライドレール１１は、スライドモジュールを構成する一部品であり、スライドレール内に摺動可能に設けられたアクチュエータの一部が露出するガイド溝が設けられている。ガイド溝は、図２において、リアケース１２側に設けられるので、図示されていない。スライドレール１１は金属製であり、それ自身が高い剛性を有している。図４は、リアケースにスライドレールを組み付ける説明図であり、図２に示す分解斜視図のうち、リアケース１２とスライドレール１１を拡大して示す図である。リアケース１２の内面側には、スライドレール１１がはめ込まれて固定されるくぼみがスライドレール保持部２０として設けられる。スライドレール保持部２０は、リアケース１２の外側と内側が貫通する溝が設けられている。スライドレール１１をガイド溝に沿って摺動するアクチュエータの一部が、リアケース１２の溝からリアケース１２の背面側（すなわち、上筐体１と下筐体２が組み付けられた状態で下筐体２の正面側と対抗する面）に露出するよう、スライドレール１１はスライドレール保持部２０にはめ込まれる。
【００１３】
スライドレール１１をスライドレール保持部２０にはめ込んだ状態で、スライドレール１１の背面、つまりアクチュエータが設けられた側と反対側の面はリアケース１２の内面とほぼ同じ高さになるよう、スライドレール保持部２０はリアケース１２の底面に対して凹部状に形成される。スライドレール保持部２０には、スライドレール１１を保持するためのスライドレール固定リブ１４が設けられている。スライドレール固定リブ１４はスライドレールを固定するための固定つめ１５を有しており、この固定つめ１５がスライドレール１１の固定孔１６と係合することにより、スライドレール１１はスライドレール固定リブ１４に固定され、スライドレール保持部２０にはめ込み固定される。図５は、リアケースにスライドレールが組み付けられた状態を示す斜視図である。図５に示されるように、スライドレール背面２１とリアケース底面２２がほぼ同一高さの平面になっていることがわかる。上記説明のように、スライドレール１１は、スライドレール保持部２０にはめ込まれることにより、リアケース１２に固定されて一体化される。したがって、リアケース１２の剛性がスライドレール１１によって強化されている。
【００１４】
図６及び図７は、本発明に係るスライド型携帯電話機の上筐体の断面図である。図６と図７は、それぞれスライド型携帯電話機の上筐体長手方向に沿って異なる部位の断面を示す。図６において、ＬＣＤモジュール９は、クッション１１を介してスライドレール１１のスライドレール背面２２と接触している。図７も図６に示されたものと同様、ＬＣＤモジュール９は、クッション１１を介してスライドレール１１のスライドレール背面２２と接触しているほか、スライドレール固定リブ１４の固定つめ１５が、スライドレール１１の固定孔１６と係合し、スライドレール１１が固定されている状況を示している。スライドレール１１は、リアケース１２の底面から突出するように形成されたスライドレール保持部２０にはめ込まれているので、ＬＣＤモジュール９は、スライドレール１１の背面２１とリアケース１２の底面２２と接触している。
【００１５】
上記説明のように、本発明は、上筐体１の薄型化のために、ＬＣＤモジュール９を保持するホルダを削除したものである。そして、ホルダを削除することによる剛性の劣化を、剛性のあるスライドレール１１をＬＣＤモジュール９の背面に配置した。スライドレール１１は、リアケース１２に固定されて一体化されているので、リアケース１２の剛性が強化される。したがって、フロントケース７とリアケース１２が組み合わされた状態で、曲げ応力などの外力が作用しても、リアケース１２が撓まないという効果を得ることができる。また、フロントケースをマグネシウム成型品とすることにより、フロントケースの剛性も強化される。さらに、剛性の高いスライドレール１１がＬＣＤモジュール９の長手方向に沿って接触していることから、ＬＣＤモジュール９の長手方向の曲げ剛性が補強されているので、ホルダを用いなくてもＬＣＤモジュール９の剛性を確保することができるという効果を奏する。また、ＬＣＤモジュール９は、スライドレール１１のほか、リアケース１２の底面２２とも接触しているので、ＬＣＤモジュール９の剛性がさらに補強されるという効果も奏する。
【図面の簡単な説明】
【００１６】
【図１】スライド型携帯電話機の外観を示す外観斜視図である。
【図２】本発明に係るスライド型携帯電話機を構成する上筐体の分解斜視図である。
【図３】フロントケースにＬＣＤモジュールを組み付ける説明図である。
【図４】リアケースにスライドレールを組み付ける説明図である。
【図５】リアケースにスライドレールが組み付けられた状態を示す斜視図である。
【図６】本発明に係るスライド型携帯電話機の上筐体の断面図である。
【図７】本発明に係るスライド型携帯電話機の上筐体の断面図である。
【符号の説明】
【００１７】
１  上筐体、２  下筐体、３  表示部、４  受話部、５  操作部、６  送話部、
７  フロントケース、８  クッション、９  ＬＣＤモジュール、１０  クッション、
１１  スライドレール、１２  リアケース、１３  ＬＣＤ固定リブ、
１４  スライドレール固定リブ、１５  固定つめ、１６  固定孔、
１７  上筐体操作ボタン、１８  カメラ、１９  開口、２０  スライドレール保持部、
２１  スライドレール背面、２２  リアケース底面、２３  ガイド溝、２４  意匠カバー
【図１】
2006339698.tif 000003
【図２】
2006339698.tif 000004
【図３】
2006339698.tif 000005
【図４】
2006339698.tif 000006
【図５】
2006339698.tif 000007
【図６】
2006339698.tif 000008
【図７】
2006339698.tif 000009